(57)【特許請求の範囲】
【請求項１】
対物レンズホルダに対物レンズを取り付けるために、前記対物レンズホルダを載置するホルダ載置部と、該ホルダ載置部に対向した状態で上下動し、前記対物レンズを前記対物レンズホルダに押さえつける押圧部とを備える対物レンズ取付治具において、前記押圧部の下端部に遊動自在に支持されるとともに、前記対物レンズホルダに乗せられた前記対物レンズの周縁部に接触して、前記対物レンズを押圧する押圧部材を備え、前記ホルダ載置部には、前記対物レンズホルダに設けられる嵌合部が嵌め合わされて、前記対物レンズホルダを前記押圧部に対して位置決めする凹部もしくは凸部が備えられており、前記押圧部の下端部には、突起部が設けられ、前記押圧部材には、前記押圧部の前記突起部が挿通されて嵌め合わされ、かつ上に向かって径が大きくなる穴部が設けられるとともに、前記対物レンズの周縁部に接触する、少なくとも３つの脚部、もしくは前記対物レンズの周縁部に接触し、下端部側が開口するスリットを複数有する筒部が設けられており、前記穴部に前記押圧部の突起部が嵌め込まれた際には、前記押圧部材は、前記押圧部に遊動自在に支持されていることを特徴とする対物レンズ取付治具。
【請求項２】
対物レンズホルダに対物レンズを取り付けるために、前記対物レンズホルダを載置するホルダ載置部と、該ホルダ載置部に対向した状態で上下動し、前記対物レンズを前記対物レンズホルダに押さえつける押圧部とを備える対物レンズ取付治具において、前記押圧部の下端部に遊動自在に支持されるとともに、前記対物レンズホルダに乗せられた前記対物レンズの周縁部に接触して、前記対物レンズを押圧する押圧部材を備えることを特徴とする対物レンズ取付治具。
【請求項３】
請求項２記載の対物レンズ取付治具において、前記ホルダ載置部には、前記対物レンズホルダの一部分と嵌合して当該レンズホルダを位置決めする凹部もしくは凸部が備えられていることを特徴とする対物レンズ取付治具。
【請求項４】
請求項２または３記載の対物レンズ取付治具において、前記押圧部の下端部には突起部が設けられ、前記押圧部材には、前記押圧部の前記突起部が挿通されて嵌め合わされる穴部が設けられ、該穴部は、上に向かって径が大きくなるように形成されていることを特徴とする対物レンズ取付治具。
【請求項５】
請求項２〜４のいずれか一つに記載の対物レンズ取付治具において、前記押圧部材には、前記対物レンズの周縁部に接触する脚部が少なくとも３つ設けられていることを特徴とする対物レンズ取付治具。
【請求項６】
請求項２〜４のいずれか一つに記載の対物レンズ取付治具において、前記押圧部材には、前記対物レンズの周縁部に接触する筒部が設けられ、該筒部には、下端部側が開口するスリットが、複数設けられていることを特徴とする対物レンズ取付治具。
【請求項７】
対物レンズが取り付けられるレンズ取付部と、このレンズ取付部の反対側の位置に突出もしくは窪むように形成された嵌合部とを備えた対物レンズホルダに対して、該対物レンズホルダを載置するホルダ載置部、該ホルダ載置部に対向した状態で上下動し、前記対物レンズを前記対物レンズホルダに押さえつける押圧部、および、該押圧部の下端部に遊動自在に支持されるとともに、前記対物レンズホルダに乗せられた前記対物レンズの周縁部に接触して、前記対物レンズを押圧する押圧部材を備え、前記ホルダ載置部には前記対物レンズホルダの前記嵌合部と嵌合可能な凹部または凸部が形成された取付治具を用いて対物レンズを取り付けるレンズ組付方法であって、
前記対物レンズホルダの前記嵌合部に前記ホルダ載置部の前記凹部もしくは凸部を嵌合させて前記ホルダ載置部に前記対物レンズホルダを位置決めした状態に載置した後、
前記押圧部を下降させて前記押圧部材を前記対物レンズホルダに載せられた前記対物レンズの周縁部に接触させ、前記対物レンズと前記対物レンズホルダとを接着させることを特徴とするレンズ組付方法。
【発明の詳細な説明】
【０００１】
【発明の属する技術分野】
本発明は、対物レンズホルダに対物レンズを取り付けるための対物レンズ取付治具、および対物レンズホルダに関する。
【０００２】
【従来の技術】
従来から、例えばコンパクトディスク（ＣＤ）やデジタルバーサタイルディスク（ＤＶＤ）などのディスク型の記録媒体に記録されている情報を光学的に読み出して電気信号として出力する光学ピックアップには、ディスクの動きに追従して作動する対物レンズ支持装置が設けられている。そして、この対物レンズ支持装置には、例えば、特開平７−２２０２８６号公報や特開平５−１８９７８５号公報などに示されるように、対物レンズと、該対物レンズを支持する対物レンズホルダと、該対物レンズホルダを上下左右に揺動させることで、対物レンズを上下左右に揺動させ、対物レンズの位置および傾きを調整する調整手段とが備えられている。つまり、対物レンズは、記録媒体の記録面に対して光を正確に集光するため、記録媒体の回転に伴う揺れなどに応じるように、調整手段によって対物レンズの位置および傾きが調整されている。
【０００３】
対物レンズを対物レンズホルダに装着する際においては、作業者は、対物レンズ取付治具を用いて、対物レンズホルダに対物レンズを固定している。
この対物レンズ取付治具は、対物レンズホルダを載置するホルダ載置部と、ホルダ載置部に対向した状態で上下動する押圧部とを備えていて、対物レンズホルダがホルダ載置部によって載置された状態で、対物レンズホルダに対物レンズを乗せ、その後、押圧部を下方に移動させて対物レンズを押さえつけ、その状態で、対物レンズと対物レンズホルダの当接部に、紫外線硬化型の接着剤を塗布して、紫外線を照射することで、対物レンズホルダに対物レンズを固定している。
つまり、対物レンズは、ホルダ載置部に載置された対物レンズホルダに押圧部に押さえつけられることで、対物レンズホルダに対して位置合わせされている。
【０００４】
【発明が解決しようとする課題】
一般的に、記録媒体の記録面に対して光を正確に集光させるためには、対物レンズが、対物レンズホルダに正確に装着されていなければならない。しかしながら、上記のような対物レンズ取付治具であっては、ホルダ載置部に対物レンズホルダを載置させる度に、正確に対物レンズホルダを配置しなければ、押圧部は、対物レンズを対物レンズホルダに対して傾いた状態で押さえつけてしまう。このため、対物レンズは、対物レンズホルダに精度良く設置されず、傾いた状態で取り付けられてしまい、光を正確に集光させることができない可能性がある。
【０００５】
本発明の課題は、対物レンズを精度よく取り付けるための対物レンズ取付治具および対物レンズホルダを提供することを目的とする。
【０００６】
【課題を解決するための手段】
請求項１記載の発明は、例えば、図５に示すように、
対物レンズホルダ２０に対物レンズ３０を取り付けるために、
前記対物レンズホルダを載置するホルダ載置部２と、
該ホルダ載置部に対向した状態で上下動し、前記対物レンズを前記対物レンズホルダに押さえつける押圧部６とを備える対物レンズ取付治具１において、
前記押圧部の下端部に遊動自在に支持されるとともに、前記対物レンズホルダに乗せられた前記対物レンズの周縁部３２に接触して、前記対物レンズを押圧する押圧部材（パッド１１）を備え、
前記ホルダ載置部には、前記対物レンズホルダに設けられる嵌合部２３が嵌め合わされて、前記対物レンズホルダを前記押圧部に対して位置決めする凹部もしくは凸部２ｂが備えられており、
前記押圧部の下端部には、突起部１０が設けられ、
前記押圧部材には、前記押圧部の前記突起部が挿通されて嵌め合わされ、かつ上に向かって径が大きくなる穴部１３が設けられるとともに、前記対物レンズの周縁部に接触する、少なくとも３つの脚部１４、もしくは前記対物レンズの周縁部に接触し、下端部側が開口するスリットを複数有する筒部が設けられており、前記穴部に前記押圧部の突起部が嵌め込まれた際には、前記押圧部材は、前記押圧部に遊動自在に支持されていることを特徴としている。
【０００７】
請求項１記載の発明によれば、対物レンズの周縁部を押さえつける押圧部材が、押圧部に遊動自在に支持されているので、対物レンズホルダが傾いた状態、つまり対物レンズホルダが、対物レンズ取付時における基準の状態からずれて保持されていたとしても、その傾きに応じて押圧部材が対物レンズの周縁部を押さえつけることができる。このため、対物レンズホルダのレンズ取付部に、対物レンズを所定の状態で配置することができ、対物レンズを精度良く対物レンズホルダに保持させることができる。
また、ホルダ載置部には、対物レンズホルダに設けられる嵌合部が嵌め合わされて、対物レンズホルダを押圧部に対して位置決めする凹部もしくは凸部が備えられているので、この凹部もしくは凸部に対物レンズホルダの嵌合部を嵌め合わせることで、対物レンズホルダを対物レンズ取付時における基準の状態で、保持させることができる。したがって、作業者は容易に対物レンズホルダを対物レンズ取付治具に配置することができる。
また、押圧部材には、対物レンズの周縁部に接触する、少なくとも３つの脚部、もしくは対物レンズの周縁部に接触し、下端部側が開口するスリットを複数有する筒部が設けられているので、押圧部材が対物レンズを対物レンズホルダのレンズ取付部に押さえつけた状態のままであっても、スリットもしくは各脚部の間隔を利用すれば、対物レンズと対物レンズホルダを接着する際にスムーズに接着剤を塗布することができる。
また、押圧部材には、押圧部の突起部が嵌め込まれ挿通され、かつ上に向かって径が大きくなる穴部が設けられているので、押圧部の突起部を該穴部に挿通するだけで、押圧部材を遊動自在に支持することができる。
【０００８】
本発明の対物レンズ取付治具は、例えば、図２に示すように、光ディスク等の記録媒体の記録面に光を集光させる対物レンズ３０が取り付けられる対物レンズホルダ２０において、光が透過される貫通孔２１ａを有するホルダ本体部２１と、前記貫通孔を介して光を集光するように、前記ホルダ本体部の上方から前記対物レンズが取り付けられるレンズ取付部２２と、前記レンズ取付部に対向する位置で突出もしくは窪む嵌合部２３とが備えられており、前記レンズ取付部に前記対物レンズを取り付ける際に前記ホルダ本体部が取付時における基準の状態となるように、対物レンズ取付治具に設けられる凹部もしくは凸部と、前記嵌合部とが嵌合することを特徴としている対物レンズホルダに対応する。
【０００９】
このような対物レンズホルダによれば、レンズ取付部に対物レンズを取り付ける際にホルダ本体部が取付時における基準の状態となるように、対物レンズ取付治具に設けられる凹部もしくは凸部と、嵌合部とが嵌合するので、対物レンズホルダの嵌合部を、対物レンズを取り付ける対物レンズ取付治具の凹部もしくは凸部に嵌合させるだけで、対物レンズ取付時における基準の状態に配置することができる。したがって、作業者は、対物レンズホルダを対物レンズ取付治具に容易に配置することができる。
【００１０】
【発明の実施の形態】
以下、この発明の実施の形態について、図１〜図５の図面を参照しながら説明する。
【００１１】
本実施の形態で例示される対物レンズ取付治具は、光学ピックアップを組み立てる際に、対物レンズを対物レンズホルダに取り付けるために用いられるものである。このため、対物レンズ取付治具を説明する前に、先ず対物レンズおよび対物レンズホルダについて説明する。
【００１２】
対物レンズ３０は、光を記録媒体上に集光させるものであり、例えば図１（ａ）（ｂ）に示すように、光を集光するレンズ本体部３１と、該レンズ本体部３１の周縁を囲んでレンズ本体部３１と一体的に形成される周縁部３２と、から形成されている。
【００１３】
対物レンズホルダ２０は、対物レンズ３０を保持した状態で、対物レンズ３０を透過した光が記録媒体の記録面に対して正確に集光されるように、位置および傾きが調整されるものである。この対物レンズホルダ２０は、例えば図２（ａ）（ｂ）に示すように、光が透過される円筒状の貫通孔２１ａを有するホルダ本体部２１と、ホルダ本体部２１の上方から対物レンズ３０が取り付けられるレンズ取付部２２と、レンズ取付部２２に対向する位置で、円柱状に窪む嵌合部２３とが備えられている。
【００１４】
ホルダ本体部２１には対物レンズホルダ２０が光学ピックアップに備えられた際に、対物レンズホルダ２０の位置および傾きを調整する調整手段が、対物レンズホルダ２０を上下左右に揺動できるように接続されるための調整手段接続部２４が設けられている。またホルダ本体部２１には、レンズ取付部２２に取り付けられた対物レンズ３０を固定するために、接着剤を注入して塗布する溝部２５が複数（本実施の形態では４つ）形成されている。
【００１５】
レンズ取付部２２は、対物レンズ３０が嵌め込まれるように、円柱状に窪んでいて、この窪みの側面２２ａに対して、前記貫通孔２１ａの周囲の底面２２ｂが直角となるように形成されている。このレンズ取付部２２に対物レンズ３０が取り付けられると、図２（ｂ）に示すように、対物レンズ３０は、上方からの光を対物レンズホルダ２０の貫通孔２１ａを介して、下方に向けて集光することができる。
【００１６】
嵌合部２３は、貫通孔２１ａよりも大きい径の円柱状で窪んでおり、この側面２３ａは、レンズ取付部２２の底面２２ｂに対して、直角となるように設定されているとともに、貫通孔２１ａの周囲の天面２３ｂは、レンズ取付部２２の底面２２ｂに対して平行となるように設定されている。そして、この嵌合部２３は、対物レンズ取付治具１を用いてレンズ取付部２２に対物レンズ３０を取り付ける際に、ホルダ本体部２１が取付時における基準の状態となるように、ホルダ本体部２１を対物レンズ取付治具１に配置するものである。
【００１７】
対物レンズ取付治具１は、図３に示すように、対物レンズホルダ２０を載置するホルダ載置部２と、該ホルダ載置部２に対向した状態で上下動し、対物レンズ３０を対物レンズホルダ２０に押さえつける押圧部６と、該押圧部６を上下方向（押圧方向）に沿って案内する案内部４と、案内部４およびホルダ載置部２を支持する台部３と、押圧部６の下端部に支持されるパッド（押圧部材）１１と、押圧部６を上げた際に、下方への移動を規制するストッパ（図示省略）を備えている。
【００１８】
ホルダ載置部２は、図５に示すように、台部３から円柱状に立設する載置部本体２ａと、該載置部本体２ａの上面から上方に向かって突出する凸部２ｂとから構成されている。この凸部２ｂは、対物レンズホルダ２０の嵌合部２３に嵌め込められるように、嵌合部２３の形状に対応する形状で突出している。例えば、本実施の形態では、対物レンズホルダ２０の嵌合部２３は、円柱状に窪んでいるので、凸部２ｂはこの窪みよりも外径がわずかに小さい円柱状で突出している。また、凸部２ｂの側面２ｃは、押圧部６の押圧方向に沿うように設定されているとともに、凸部２ｂの上面２ｄは、前記押圧方向と直交する方向に沿うように設定されている。
【００１９】
押圧部６は、図３に示すように、対物レンズ３０の外径ｄ１よりも大きい外径ｄ２を有する円柱状の軸部８と、該軸部８の上部で、軸部８よりも径の大きな円柱形状に形成された大径部７と、軸部８の下端から下方に向けて径が小さくなるテーパー部９と、該テーパー部９の下端で球状に突起する突起部１０とを備えている。
【００２０】
案内部４は、台部３から角柱状に立設する立設部４ａと、該立設部４ａの側面からホルダ載置部２の上方まで延出する延出部４ｂとを備えて、側面視Ｌ字状に形成されている。
延出部４ｂには、押圧部６を上下方向に沿って案内するために、上下方向に沿って貫通された、円柱状の穴部であるシリンダ部５が設けられている。このシリンダ部５の内径は、押圧部６を押圧方向に移動自在に案内するように、押圧部６の軸部８の外径ｄ２よりも、わずかに大きく設定されている。また、シリンダ部５の側面は、ホルダ載置部２の凸部２ｂの側面２ｃと平行とされ、凸部２ｂの側面２ｃに沿うように押圧部６の上下移動を案内する。そして、押圧部６をシリンダ部５に挿通させ下方へと移動させれば、押圧部６の突起部１０は、ホルダ載置部２によって保持された対物レンズホルダ２０のレンズ取付部２２と対峙して、上下動するように案内される。
【００２１】
パッド１１は、図４に示すように、対物レンズ３０の外径ｄ１とほぼ同じ外径ｄ３を有する円板状のパッド本体部１２と、該パッド本体部１２の周縁部から下方に向けて延出し、対物レンズ３０の周縁部３２と接触する少なくとも３つ（本実施の形態では３つ）の脚部１４とを備えている。そして、このパッド１１は、押圧部６を形成する材料よりも柔らかい材料で形成されていることが好ましく、例えば、押圧部６が金属から形成されているのであれば、パッド１１は樹脂等で形成されていることが挙げられる。
【００２２】
パッド本体部１２の中央部分には、上下方向に沿って貫通する穴部１３が設けられている。この穴部１３は、下端の径が押圧部６の突起部１０の径よりも小さく設定されるとともに、上に向かって径が大きくなるように形成されている。本実施の形態では、穴部１３の上部１３ａが面取りされることで、穴部１３の径が上に向かって大きくなっている。これ以外にも、例えば、穴部１３の上部１３ａの断面形状が直線状でなくとも曲線状であってもよく、さらに、穴部１３の上部だけでなく、穴部１３の全体が、上に向かって径が大きくなる形状であっても良い。
なお、穴部１３の断面形状が直線的に形成される場合においては、対峙する２直線の角度ａ１が押圧部６のテーパー部９の角度ａ２と異なるように、形成することが好ましい。つまり、押圧部６がパッド１１を支持した際に、押圧部６のテーパー部９とパッド１１の穴部１３とが面接触し密着することを防止している。
【００２３】
パッド１１が押圧部６によって支持される際には、パッド１１の穴部１３に押圧部６の突起部１０が挿通され嵌め合わされている。このとき、パッド１１の方が押圧部６よりも柔らかい材料で形成されているので、穴部１３の径が突起部１０の径よりも小さくても、パッド１１は弾性変形して、穴部１３に突起部１０を挿通することができる。その後パッド１１は、弾性復帰して押圧部６により支持される。
そして、パッド１１が押圧部６によって支持された際には、上記のようにパッド１１の穴部１３と押圧部６のテーパー部９とが面接触しないため、パッド１１は、押圧部６に固定されず、落ちないように遊動自在に支持されている。そして、パッド１１の外径ｄ３は、対物レンズ３０の外径ｄ１とほぼ同じ、つまり押圧部６の軸部８の外径ｄ２よりも小さいので、押圧部６を案内部４のシリンダ部５から抜き差しする際には、逐一パッド１１を着脱しなくても良い。
【００２４】
以下に対物レンズ取付治具１の使用方法について説明する。
【００２５】
対物レンズ取付治具１は、予め回転台上に載置されている。そして、この対物レンズ取付治具１の対物レンズ取付前の状態は、パッド１１を支持した押圧部６が、案内部４のシリンダ部５に挿通されて、ストッパによって所定の高さで下方への移動を規制されている。
【００２６】
そして、対物レンズ３０を対物レンズホルダ２０に取り付ける際には、作業者は、先ず対物レンズ取付治具１のホルダ載置部２に対物レンズホルダ２０を取り付ける。このとき、対物レンズホルダ２０の嵌合部２３とホルダ載置部２の凸部２ｂとを嵌め合わせれば、対物レンズホルダ２０を押圧部６に対して位置決めすることができ、対物レンズホルダ２０を対物レンズ取付時における基準の状態で保持させることができる。
ここで基準の状態とは、対物レンズホルダ２０のレンズ取付部２２の底面が押圧方向に対して直角となる状態のことであり、本実施の形態では、ホルダ載置部２の凸部２ｂの側面が押圧方向に沿うように設定されているとともに、対物レンズホルダ２０のレンズ取付部２２の底面が、嵌合部２３の側面に対して直角となるように設定されているので、対物レンズホルダ２０の嵌合部２３とホルダ載置部２の凸部２ｂとを嵌合させた際には、レンズ取付部２２の底面が押圧方向に対して直角になる。
【００２７】
対物レンズホルダ２０をホルダ載置部２に取り付けると、作業者は、対物レンズホルダ２０のレンズ取付部２２に対物レンズ３０を乗せて、ストッパによる押圧部６の移動の規制を解除し、パッド１１の脚部１４が対物レンズ３０の周縁部３２を押圧するように、押圧部６を下方へと移動させる。なお、パッド１１の各脚部１４が対物レンズ３０の周縁部３２に当接する際には、パッド１１の各脚部１４の間に対物レンズホルダの溝部２５が配置されるように、各脚部１４の位置を調節しておくことが好ましい。
そして、対物レンズ３０は、パッド１１を介して伝わる押圧部６の自重によって、対物レンズホルダ２０のレンズ取付部２２に所定の状態で設置される。
【００２８】
また、万が一、対物レンズホルダ２０が、ホルダ載置部２に保持された際に、対物レンズ取付時における基準の状態から傾いていても、パッド１１は、その傾きに応じて傾いて、対物レンズ３０を対物レンズホルダ２０のレンズ取付部２２に所定の状態で設置するように押さえつける。
【００２９】
対物レンズ３０が、対物レンズホルダ２０のレンズ取付部２２に所定の状態に設置されると、作業者は、対物レンズ３０が押圧部６によって押さえつけられたままの状態で、回転台を回転させながら、対物レンズホルダ２０の溝部２５に紫外線硬化型の接着剤を注入して塗布するとともに、この接着剤に紫外線を照射して硬化させ、対物レンズ３０と対物レンズホルダ２０とを固定する。
【００３０】
対物レンズ３０と対物レンズホルダ２０とが固定されると、押圧部６を上方へと移動させて、ストッパで下方への移動を規制し、ホルダ載置部２から対物レンズホルダ２０を取り外し、対物レンズ３０の取付を完了する。
【００３１】
以上のように、この実施の形態の対物レンズ取付治具１によれば、ホルダ載置部２には、対物レンズホルダ２０の嵌合部２３が嵌め合わされる凸部２ｂが備えられているので、凸部２ｂに対物レンズホルダ２０の嵌合部２３を嵌め合わせることで、対物レンズホルダ２０を対物レンズ取付時における基準の状態で、保持させることができる。したがって、作業者は容易に対物レンズホルダ２０を対物レンズ取付治具１に配置することができる。
また、対物レンズ３０の周縁部３２を押さえつけるパッド１１が、押圧部６に遊動自在に支持されているので、対物レンズホルダ２０が傾いた状態、つまり対物レンズホルダ２０が、対物レンズ取付時における基準の状態からずれて保持されていたとしても、その傾きに応じてパッド１１が対物レンズ３０の周縁部３２を押さえつけることができる。このため、対物レンズホルダ２０のレンズ取付部２２に、対物レンズ３０を所定の状態で配置することができ、対物レンズ３０を精度良く対物レンズホルダに保持させることができる。
【００３２】
また、パッド１１には、複数の脚部１４が設けられているので、パッド１１が対物レンズ３０を対物レンズホルダ２０のレンズ取付部２２に押さえつけた状態のままであっても、各脚部１４の間隔を利用すれば、対物レンズ３０と対物レンズホルダ２０を接着する際にスムーズに接着剤を塗布することができる。
また、パッド１１には、押圧部６の突起部１０が嵌め込まれ挿通され、かつ上に向かって径が大きくなる穴部１３が設けられているので、押圧部６の突起部１０を該穴部１３に挿通するだけで、パッドを遊動自在に支持することができる。
【００３３】
また、本実施の形態の対物レンズホルダ２０によれば、レンズ取付部２２に対物レンズ３０を取り付ける際にホルダ本体部２１が取付時における基準の状態となるように、嵌合部２３によってホルダ本体部２１は配置されるので、対物レンズホルダ２０の嵌合部２３を、対物レンズ取付治具１のホルダ載置部２の凸部２ｂに嵌合させるだけで、対物レンズ取付時における基準の状態に配置することができる。したがって、作業者は、対物レンズホルダ２０を対物レンズ取付治具１に容易に配置することができる。
【００３４】
なお、本発明は上記実施の形態に限らず適宜変更可能であるのは勿論である。例えば、本実施の形態では、対物レンズホルダ２０の嵌合部２３は、円筒状に窪むように形成され、それに対応するように、対物レンズ取付治具１のホルダ載置部２には凸部２ｂが設けられているが、嵌合部の形状は如何様でもよく、それに対応させて、ホルダ載置部の形状も形成すればよい。具体的には、嵌合部が突出する形状で有れば、ホルダ載置部には、その形状に対応した凹部を形成しておけばよい。
【００３５】
また、本実施の形態では、接着剤を塗布がスムーズに行えるように、パッド１１に複数の脚部１４を設けて、各脚部１４の間隔を対物レンズホルダ２０の溝部２５に対応するように配置しているが、溝部２５付近にスペースを設ける構成ならば如何なる形状でもよい。具体的には、パッドのパッド本体に、円筒状の筒部を設けるとともに、該筒部に下端部側が開口するスリットを複数設ける構成が挙げられる。こうした場合、筒部の底部が、対物レンズ３０の周縁部３２に当接する際に、各スリットが溝部２５に対応する位置に配置されるように、パッドを調節すればよい。
【００３６】
【発明の効果】
請求項１記載の発明によれば、対物レンズホルダが傾いた状態、つまり対物レンズホルダが、対物レンズ取付時における基準の状態からずれて保持されていたとしても、その傾きに応じて押圧部材が対物レンズの周縁部を押さえつけることができる。このため、対物レンズホルダのレンズ取付部に、対物レンズを所定の状態で配置することができ、対物レンズを精度良く対物レンズホルダに保持させることができる。
また、ホルダ載置部には、凹部もしくは凸部に対物レンズホルダの嵌合部を嵌め合わせることで、対物レンズホルダを対物レンズ取付時における基準の状態で、保持させることができる。したがって、作業者は容易に対物レンズホルダを対物レンズ取付治具に配置することができる。
また、押圧部材が対物レンズを対物レンズホルダのレンズ取付部に押さえつけた状態のままであっても、スリットもしくは各脚部の間隔を利用すれば、対物レンズと対物レンズホルダを接着する際にスムーズに接着剤を塗布することができる。
また、押圧部材には、押圧部の突起部が嵌め込まれ挿通され、かつ上に向かって径が大きくなる穴部が設けられているので、押圧部の突起部を該穴部に挿通するだけで、押圧部材を遊動自在に支持することができる。
【００３７】
請求項７記載の発明によれば、対物レンズホルダの嵌合部を、対物レンズを取り付ける対物レンズ取付治具に嵌合させるだけで、対物レンズ取付時における基準の状態に配置することができる。したがって、作業者は、対物レンズホルダを対物レンズ取付治具に容易に配置することができる。
【図面の簡単な説明】
【図１】本発明を適用した実施の形態の対物レンズ取付治具で取り付けられる対物レンズを表す上面図および側断面図である。
【図２】図１の対物レンズが取り付けられる対物レンズホルダを表す上面図および側面図である。
【図３】本発明を適用した実施の形態の対物レンズ取付治具を表す斜視図である。
【図４】図３の対物レンズ取付治具に備わるパッドを表す斜視図およびＡ−Ａ線に沿った側断面図である。
【図５】図３の対物レンズ取付治具が対物レンズを対物レンズホルダに押さえつけた際の状態を表す側断面図である。
【符号の説明】
１    対物レンズ取付治具
２    ホルダ載置部
２ｂ  凸部
６    押圧部
１０    突起部
１１    パッド（押圧部材）
１３    穴部
１４    脚部
２０    対物レンズホルダ
２１    ホルダ本体部
２１ａ  貫通孔
２２    レンズ取付部
２３    嵌合部
３０    対物レンズ
３２    周縁部
【図１】
0003567460.tif 000002
【図２】
0003567460.tif 000003
【図３】
0003567460.tif 000004
【図４】
0003567460.tif 000005
【図５】
0003567460.tif 000006